(57)【要約】【課題】室内が高温・高湿環境である場合においても、オゾンによる殺菌，脱臭効果を高めて、クリーン運転時間を短縮する。【解決手段】電気集塵部７およびマイナスイオン発生部８からオゾンを発生させて室内機内部の殺菌、脱臭を行うクリーン運転を行う場合、温度センサ９と湿度センサ１０により室温および室内湿度を検出して、その検出室温あるいは湿度に応じて電気集塵部７の通電電圧を可変し、特にオゾンが分解し易い高室温または高湿度の条件下では発生オゾン量を多くする。【選択図】　　図１
2004020117.tif 000002
【特許請求の範囲】
【請求項１】
開閉パネルを有する前面空気吸入口および常開空気吸入口を少なくとも含む空気吸入口と、上記前面空気吸入口の下方位置に設けられた空気吹き出し口とを結ぶ空気通路内に、熱交換器および室内送風ファンが配置された室内機ハウジングを備え、上記常開空気吸入口と上記熱交換器との間に電気集塵器が配置され、上記空気吹き出し口内にはマイナスイオン発生器が配置されているとともに、上記前面空気吸入口と上記空気吹き出し口との間で空気のショートサーキットを形成し得る補助開閉パネルを有し、オゾンによるクリーン運転が可能な空気調和機の制御方法において、
上記クリーン運転時には、上記開閉パネルを閉とし上記補助開閉パネルを開とするとともに、上記室内機ハウジング内に配置された室温センサおよび湿度センサにより室温および室内湿度を検出し、そのいずれか一方の検出信号に基づいて上記電気集塵器に対する通電電圧を制御し、同電気集塵器よりオゾンを発生させた状態で、上記室内送風ファンを所定時間連続的あるいは間欠的に正回転させる第１クリーンモードを実行し、しかる後、上記開閉パネルおよび上記補助開閉パネルをともに閉じて、上記マイナスイオン発生器によりオゾンを発生させた状態で、上記室内送風ファンを所定時間連続的あるいは間欠的に逆回転させる第２クリーンモードを実行するようにしたことを特徴とする空気調和機の制御方法。
【請求項２】
上記第１クリーンモードにおける電気集塵部に対する通電電圧は、室温あるいは室内湿度の一方が所定の基準値より高い場合には、通常時の定格値よりも高い値に設定し、所定の基準値より低い場合には、通常時の定格値に近い値に設定する請求項１に記載の空気調和機の制御方法。
【請求項３】
上記空気吹き出し口内には、空気の吹き出し方向を変える上下風向板が備えられており、上記第１クリーンモード時には、上記上下風向板を上記補助開閉パネル向きとして、上記吹き出し口と上記補助開閉パネルとの間に空気のショートサーキットを形成する請求項１に記載の空気調和機の制御方法。
【請求項４】
上記第１クリーンモードおよび上記第２クリーンモード時には、運転モードを送風モードとする請求項１，２または３に記載の空気調和機の制御方法。
【請求項５】
上記第１クリーンモードを実行するに先だって、暖房運転を所定時間行い、上記室内機ハウジングの内部を乾燥する請求項１ないし４のいずれか１項に記載の空気調和機の制御方法。
【請求項６】
上記暖房モードによる乾燥運転時には、上記開閉パネルおよび上記補助開閉パネルを開とし、上記上下風向板を水平状態とする請求項５に記載の空気調和機の制御方法。
【請求項７】
当該空気調和機が所定の運転モードで運転されている際に、上記クリーン運転が選択された場合、そのクリーン運転終了後には、当該空気調和機を上記クリーン運転直前の運転モードに戻す請求項１ないし６のいずれか１項に記載の空気調和機の制御方法。
【発明の詳細な説明】
【０００１】
【発明の属する技術分野】
本発明は、空気調和機の制御方法に関し、さらに詳しく言えば、オゾンにより室内機内部の殺菌，脱臭を行うクリーン運転時における空気調和機の制御方法に関するものである。
【０００２】
【従来の技術】
最近の空気調和機の分野においては、種々の機能を付加して快適性を追求するものが提案されている。その一例として、電気集塵器（電気式空気清浄ユニット）を室内機に搭載し、タバコの煙などの細かいほこりを高電圧で帯電して集塵し、空気の汚れを集め、室内環境の向上を図るようにしたものがある。
【０００３】
ところで、冷房運転やドライ運転（弱冷房運転）を行うと、室内熱交換器に凝縮水が付着し、その凝縮水はドレンパンを介して室外に排出されるが、その運転停止後には、凝縮水が室内熱交換器やドレンパンに残ることがある。
【０００４】
この残留凝縮水にホコリなどが付着すると、室内機内部でカビなどの雑菌が繁殖したり、不快な臭いを発生することになる。その不快な臭いを抑えるために、電気集塵器によりオゾンを発生させて室内機内部を殺菌するクリーン運転が行なわれる。
【０００５】
【発明が解決しようとする課題】
しかしながら、オゾンによる殺菌，脱臭効果は、室内の温度や湿度によって左右されやすい。一般的に、高温・高湿の条件下においてはオゾンが分解されやすいため、その殺菌，脱臭効果が低下する。
【０００６】
したがって、室内が高温・高湿である場合、オゾンによる殺菌，脱臭効果を得るためには、オゾンを発生させてのクリーン運転時間に長時間を要することになり、本来の空調運転に影響を与え、室内環境の悪化を招きかねない。
【０００７】
そこで、本発明の課題は、室内が高温・高湿環境である場合においても、オゾンによる殺菌，脱臭効果を高めて、クリーン運転時間を短縮することにある。
【０００８】
【課題を解決するための手段】
上記課題を解決するため、本発明は、開閉パネルを有する前面空気吸入口および常開空気吸入口を少なくとも含む空気吸入口と、上記前面空気吸入口の下方位置に設けられた空気吹き出し口とを結ぶ空気通路内に、熱交換器および室内送風ファンが配置された室内機ハウジングを備え、上記常開空気吸入口と上記熱交換器との間に電気集塵器が配置され、上記空気吹き出し口内にはマイナスイオン発生器が配置されているとともに、上記前面空気吸入口と上記空気吹き出し口との間で空気のショートサーキットを形成し得る補助開閉パネル（マルチパネル）を有し、オゾンによるクリーン運転が可能な空気調和機の制御方法において、上記クリーン運転時には、上記開閉パネルを閉とし上記補助開閉パネルを開とするとともに、上記室内機ハウジング内に配置された室温センサおよび湿度センサにより室温および室内湿度を検出し、そのいずれか一方の検出信号に基づいて上記電気集塵器に対する通電電圧を制御し、同電気集塵器よりオゾンを発生させた状態で、上記室内送風ファンを所定時間連続的あるいは間欠的に正回転させる第１クリーンモードを実行し、しかる後、上記開閉パネルおよび上記補助開閉パネルをともに閉じて、上記マイナスイオン発生器によりオゾンを発生させた状態で、上記室内送風ファンを所定時間連続的あるいは間欠的に逆回転させる第２クリーンモードを実行するようにしたことを特徴としている。
【０００９】
本発明において、上記第１クリーンモードにおける電気集塵部の通電電圧は、室温あるいは室内湿度の一方が高いほど、通常時の定格値よりも高い値に設定し、室温あるいは室内湿度の一方が低いほど、通常時の定格値に近い値に設定に設定する。
【００１０】
このように、上記第１クリーンモードでは、室内送風ファンを正回転（空気を吸入口から吹き出し口へ流す方向）とし、電気集塵部によってオゾンを発生させ、しかもその電気集塵部の通電電圧を高室温または高湿度ほど高くして発生オゾン量を多くしており、そのオゾンにより主に室内機本体前面側の熱交換器および室内送風ファンなどが殺菌され、臭いのもととなるカビなどが除去される。したがって、高室温または高湿度の室内環境下でも、クリーン運転を長時間継続する必要がなくなる。
【００１１】
また、上記第１クリーンモード終了後の第２クリーンモードでは、室内送風ファンを逆回転（空気を吹き出し口から吸入口へ流す方向）とし、マイナスイオン発生部によってもオゾンを発生させることにより、それらのオゾンにより主に空気吸入口側の空気通路、室内送風ファンおよび背面側の熱交換器などが殺菌される。
【００１２】
また、上記第１クリーンモード時には、上記空気吹き出し口内に設けられている上下風向板を上記補助開閉パネル向きとして、上記吹き出し口と上記補助開閉パネルによる吸入口と間に空気のショートサーキットを形成することにより、オゾンが室内に漏れにくくなり、オゾンの利用効率が向上するとともに、補助開閉パネル近くのドレンパンなども効果的に殺菌される。
【００１３】
クリーン運転を冷房モードや暖房モードで行ってもよいが、省エネルギの観点からすれば、上記第１クリーンモードおよび第２クリーンモードは、送風モードで行うことが好ましい。
【００１４】
また、上記第１クリーンモードを実行するに先だって、暖房運転を所定時間行い、上記室内機の内部を乾燥させることが好ましい。これにより、クリーン運転を行うときには、室内機内部が乾燥されており、オゾンの殺菌効果を下げる水分が殆どなくなっていることから、電気集塵部およびマイナスイオン発生部によって発生したオゾンによる殺菌が効果的に行われる。
【００１５】
上記暖房モードによる乾燥運転時には、上記開閉パネルおよび補助開閉パネルを開とし、上記上下風向板を水平状態にするとよい。これによると、室内機内部の乾燥が速やかに行われ、室内機内部の殺菌などに係るトータル的なクリーン運転時間がより短くて済むことなる。
【００１６】
また、所定運転モードで運転されている際に、上記クリーン運転が選択された場合、そのクリーン運転終了後には、当該空気調和機を同クリーン運転直前の運転モードに戻すようにすることが好ましい。これによれば、使用者がクリーン運転終了後に再度リモコンを操作する必要がなくなり、クリーン運転直前の運転モードの設定状態を覚えていなくともよいことになる。
【００１７】
【発明の実施の形態】
次に、図１ないし図４を参照して、本発明の実施形態について説明する。図１は本発明による空気調和機の室内機の構成を概略的に示す模式図、図２は空気調和機の制御系を概略的に示すブロック図である。
【００１８】
これによると、この空気調和機は、室内機側の制御回路１と室外機側の制御回路２とを備えている。各制御回路１，２は、例えばマイクロコンピュータからなり、室温コントロールに必要な制御を行い、また、クリーン運転時には、必要に応じて室内機内部の乾燥運転を行った後、室温または室内湿度に応じて電気式空気清浄ユニットの通電電圧を制御して発生オゾン量を可変して室内機内部を殺菌、脱臭する第１クリーンモードの運転を行い、さらにマイナスイオン発生部によってもオゾンを発生させて室内機内部を殺菌、脱臭する第２のクリーンモードでの運転を行う。
【００１９】
この実施形態において、室内機は壁掛け型で、そのハウジングの前面から上面にかけて空気吸入口が形成されており、ハウジング前面の空気吸入口には、前面開閉パネル３ａが設けられている。また、前面開閉パネル３ａの下方で空気吹き出し口寄りの位置には、マルチパネル（補助開閉パネル）３ｂが設けられている。
【００２０】
マルチパネル３ｂは、上端側を基点として下端側が開き、空気吹き出し口から吹き出された空気を室内機の内部に戻すショートサーキットを形成する。前面パネル部３ａの上部および室内機上面には、開閉パネルを有しない常時開状態の空気吸入口３ｃ，３ｄが設けられている。
【００２１】
室内機ハウジングの下方には空気吹き出し口が設けられており、その内部には空気の吹き出し方向を上下方向に変えるための上下風向板部４と、左右方向に変えるための図示しない左右風向板とが設けられている。
【００２２】
また、室内機の空気吸入口と空気吹き出し口とを結ぶ空気通路内には、ハウジングの背面側から前面側にかけてΛ（ラムダ）型とした室内熱交換器５ａ，５ｂ，５ｃと、正逆回転可能なクロスフローファンからなる室内送風ファン６とが配置されている。
【００２３】
常時開状態の空気吸入口３ｃ，３ｄのうちの空気吸入口３ｃの背面で、室内熱交換器５ｂの前には電気式空気清浄ユニットとしての電気集塵部７が配置されている。また、空気吹き出し口付近には吹き出し空気にマイナスイオンを含ませるマイナスイオン発生部８が配置されている。
【００２４】
また、室内機の内部には、室温を検出する室温センサ９および室内の湿度を検出する湿度センサ１０が配置されている。この例において、室温センサ９および湿度センサ１０は、空気吸入口３ｃの背面側に設けられているが、その位置は任意に選択できる。
【００２５】
室内機の他の構成として、ハウジングの前面側には、リモコン１１からのリモコン信号を受信する受信部および運転状態を表示する本体表示部１２が備えられている。また、室内熱交換器５ｃの下部には、同熱交換器から滴下する凝縮水を受けて室外に排出するためのドレンパン１３が備えられている。図示しないが、室内熱交換器５ａの下部にもドレンパンが設けられている。なお、室外機の方には、室内熱交換器５ａ，５ｂ，５ｃとともに冷凍サイクルを構成する四方弁１４および圧縮機１５と、室外ファン１６とが設けられている。
【００２６】
室内機の制御回路１は、リモコン１１の設定操作に応じて開閉パネル３ａ、マルチパネル３ｂ、上下風向板部４および室内送風ファン６などを制御する一方、室温と設定温度の差に応じた圧縮機の運転コードなどを室外機側の制御回路２に送信するとともに、その制御回路２との間で室温コントロールに必要な信号の授受を行い、また、リモコン１１の設定操作などに応じて電気集塵部７およびマイナスイオン発生部８を制御する。
【００２７】
そのため、制御回路１は、リモコン信号を判定する判定部１ａおよび当該空気調和機の運転状態を判定する状態判定部１ｃ，図３および図４に示すルーチンの実行時に用いるタイマ１ｂ，記憶部１ｄ，カウンタ部１ｅ，室内送風ファン６の回転数を検出する回転数検出部１ｆおよび電気集塵部７の通電電圧を制御する空清通電可変部１ｇを備えている。
【００２８】
また、室外機の制御回路２は、四方弁１４および室外ファン１６を制御するために室内機側からの運転モードなどを判別する運転モード判定部２ａと、圧縮機１５を制御する圧縮機制御部２ｂとを備えている。
【００２９】
次に、本発明動作を図３および図４のフローチャートを参照して説明する。まず、リモコン１１によって所定設定操作が行われると、その設定操作に応じて室内機側の制御回路１および室外機側の制御回路２は室温コントロールに必要な制御を行い、あるいはその室温コントロールなどのための運転を停止する。
【００３０】
その運転において、制御回路１は設定操作の運転モードにしたがって開閉パネル３ａ，マルチパネル３ｂを自動的に開閉制御し、上下風向板部４を自動的に方向制御し、室内送風ファン６を回転制御し、また、電気集塵部７およびマイナスイオン発生部８を制御する。
【００３１】
このようにして運転が行われているとき、あるいは運転が停止されているときに、リモコン１１から発信されたクリーン運転信号を受信すると、制御回路１は図３および図４に示すルーチンを実行する。なお、以下の説明でのタイマ時間，室内送風ファンや圧縮機の回転数，ステップの繰り返し回数などは、あくまで一例としてのものである。
【００３２】
まず、タイマ１ｂの３分タイマをスタートし（ステップＳＴ１）、運転モードを暖房に切り替え、圧縮機１５の運転コード０（回転数０ｒｐｓ）を発信し、室内送風ファン６のファン回転数を９００ｒｐｍと弱めの送風とし、開閉パネル３ａおよびマルチパネル３ｂを開状態とし、上下風向板部４を水平方向にして、本体表示部１１にクリーン運転の表示を行う（ステップＳＴ２）。この場合、室外機側では、暖房運転であることを運転モード判定部２ａで判定して四方弁１４を暖房サイクル側に切り替える。
【００３３】
圧縮機１５を停止したままでの暖房運転（つまり暖かめの送風運転に近い運転）を３分間維持して室内機内部の乾燥運転を行う。なお、室内送風ファン６が弱めの送風であることから、室内環境の悪化を招くこともない。
【００３４】
３分タイマがタイムアップすると、ステップＳＴ３からステップＳＴ４に進み、カウンタ部１ｅの暖房０コード発信カウンタをインクリメントする（カウント値に＋１を加える）。この場合、最初の暖房０コード発信であることから、その暖房０コード発信カウンタは１となる。
【００３５】
続いて、暖房０コード発信カウンタの値が所定値（例えば４）であるか否かを判断する（ステップＳＴ５）。カウンタ値が４でなければ、タイマ１ｂの２分タイマをスタートし（ステップＳＴ６）、運転モードを暖房とし、圧縮機１５の運転コードを８（例えば回転数３９ｒｐｓ）とし、室内送風ファン６のファン回転数を９００ｒｐｍとする（ステップＳＴ７）。この場合、室外機側では、圧縮機制御部２ｂで圧縮機１５を例えば回転数３９ｒｐｓに制御し、圧縮機１５の運転に伴って室外ファン１６を回転制御することになる。
【００３６】
２分タイマがタイムアップしたか否かを判断し（ステップＳＴ８）、そのタイムアップによりステップＳＴ１に戻って上述した処理を繰り返す。このように、圧縮機１５を０コード運転とした送風運転に近い暖房運転を３分間行い、しかる後、圧縮機１５を８コード運転とした弱めの暖房運転を２分間行い、しかもその両方の運転を少なくとも３回連続して行うことにより、室内機内部を十分に乾燥させることができ、例えばドレンパン１３に凝縮水が溜っていたとしても、その凝縮水を蒸発させて室内機内部を乾燥させることができる。
【００３７】
暖房０コード発信カウンタの値が４になると、ステップＳＴ５からステップＳＴ９に進み、室温センサ９による検出信号により室温Ｔｒを検出するとともに、湿度センサ１０による検出信号により湿度（相対湿度）Ｒｈを検出する。
【００３８】
そして、室温Ｔｒが２５℃以上であるか、または湿度Ｒｈが８０％以上であるかを判断し（ステップＳＴ１０）、そのいずれか一方でも、高い条件を満足しているときには、空清通電可変部１ｇに電気集塵部７の通電電圧Ｖを通常時の定格値（例えば４．２ｋＶ）よりかなり高い値（例えば６．０ｋＶ）に設定する（ステップＳＴ１１）。
【００３９】
これに対して、室温Ｔｒが２５℃以上でなく、または湿度Ｒｈが８０％以上高くなければ、ステップＳＴ１０からステップＳＴ１２に進み、室温Ｔｒが１５℃以上、２５℃未満とそれほど高くないか、または度Ｒｈが６０％以上、８０％未満とそれほど高くないか否かを判断する。
【００４０】
室温Ｔｒあるいは湿度Ｒｈの一方でもその高くない条件を満足しているときには、電電気集塵部７の通電電圧Ｖを６．０ｋＶより低く、通常時の定格値より高めの値（例えば５．０ｋＶ）に設定する（ステップＳＴ１３）。
【００４１】
さらに、室温Ｔｒまたは湿度Ｒｈが低く、室温Ｔｒが１５℃未満であり、または湿度Ｒｈが６０％未満であるときには、ステップＳＴ１２からステップＳＴ１４に進み、電気集塵部７の通電電圧Ｖを通常時の定格値（例えば４．２ｋＶ）に設定する。
【００４２】
このように、室温Ｔｒが高いほど、または湿度Ｒｈが高いほど、電気集塵部７の通電電圧Ｖを高くすることにより、オゾンが分解し易い高室温または高湿度の条件下でも殺菌、脱臭が効果的に行われ、殺菌、脱臭に要するクリーン運転時間を短縮することができる。
【００４３】
続いて、室内送風ファン６を停止し（ステップＳＴ１５）、運転モード設定を送風に決定し、開閉パネル３ａを全閉状態とし、マルチパネル３ｂを開状態とし、上下風向板部４を上向きとし、電気集塵部７をオンとし、マイナスイオン発生部８をオフとする（ステップＳＴ１６）。
【００４４】
そして、タイマ１ｂの１０分タイマをスタートし（ステップＳＴ１７）、室内送風ファン６を５秒間運転するとともに、６００ｒｐｍの正回転とし（ステップＳＴ１８）、しかる後、室内送風ファン６を１分間オフとする（ステップＳＴ１９）。そして、１０分タイマがタイムアップするまで、室内送風ファン６を５秒運転、１分停止を繰り返す（ステップＳＴ２０）。
【００４５】
この第１クリーンモードでの運転により、前面開閉パネル３ａを閉じてほぼ密閉状態とした室内機内部には電気集塵部７の通電により発生したオゾンが確実に室内機内部に行き渡ることになる。また、マルチパネル３ｂが開状態であることから、マルチパネル３ｂによって形成されたショートサーキット作用により漏れオゾンが室内機内部に吸入されることになり、室内機内部の殺菌、脱臭が効率的、効果的に行われる。
【００４６】
続いて、１０分タイマがタイムアップすると、ステップＳＴ２０からステップＳＴ２１に進み、室内送風ファン６を停止し、マイナスイオン発生部８をオンにしてオゾンを発生し、マルチパネル部３ｃも閉じて、第２クリーンモードでの運転に入る。
【００４７】
この第２クリーン運転では、まず、タイマ１ｂの１０分タイマをスタートし（ステップＳＴ２２）、室内送風ファン６の回転数を回転数検出部１ｆで検出し、回転数が０ｒｐｍであるか否かを判断する（ステップＳＴ２３）。この場合、室内送風ファン６の位置センサからの検出信号により回転数を検出するとよい。
【００４８】
室内送風ファン６の回転数が０ｒｐｍになり完全に停止すると、１秒間待機し（ステップＳＴ２４）、しかる後に室内送風ファン６を逆回転し（空気吸い込み方向とし）、かつ、その逆回転数を９２０ｒｐｍ程度とする（ステップＳＴ２５）。これは、室内送風ファン６が完全に停止しないまま、逆回転しようとすると、室内送風ファン６の制御が適切に行われないことがあるためである。
【００４９】
室内送風ファン６の逆回転により、ほぼ密閉状態に近い室内機内部にはマイナスイオン発生部８によって発生したオゾンも行き渡らせることができ、しかもそのオゾンが室内機外（室内）への拡散が抑えられる。
【００５０】
続いて、室内送風ファン６の逆回転中に、リモコン１１によって他の機能を設定する信号が入力されたか否かを判断し（ステップＳＴ２６）、その設定操作が行われていないときには、運転停止信号が入力したか否かを判断する（ステップＳＴ２７）。なお、その他の機能とは、例えば運転開始信号、除湿信号、空清運転信号あるいはクリーン運転信号などである。
【００５１】
運転停止の設定操作も行われていないときには、１０分タイマがタイムアップしているか否かを判断し（ステップＳＴ２８）、１０分が経過していなければステップＳＴ２６に戻り、上述した判断処理を繰り返し、１０分が経過すると、クリーン運転を停止し（ステップＳＴ２９）、ルーチンを終了する。
【００５２】
このように、室内送風ファン６の逆回転は最大で１０分間継続されることになり、室内機の上部に配置した電気集塵部７によって発生したオゾンだけなく、室内機の下部（この例では空気吹き出し口内）に配置したマイナスイオン発生部８によって発生したオゾンも利用して室内機内部の隅々、特に背面側の熱交換器６ａや空気吹き出し口付近および空気通路の殺菌、脱臭を効果的に行うことができる。
【００５３】
なお、１０分タイマがタイムアップするまでの間に、リモコン１１によって運転停止操作が行われた場合にはステップＳＴ２７からステップＳＴ２９に進み、クリーン運転を停止し、当該ルーチンを終了する。
【００５４】
また、リモコン１１によって他の機能を設定する信号が入力された場合にはステップＳＴ２６からステップＳＴ３０に進み電気集塵部７をオフにする。なお、他の機能の信号としては、運転開始信号、除湿信号、空清信号、ワンタッチ切タイマ信号およびクリーン信号（再入力）などである。また、その他の機能の設定操作によっては、マイナスイオン発生部８もオフにしてもよい。
【００５５】
続いて、室内送風ファン６を停止制御し（ステップＳＴ３１）、室内送風ファン６の回転数を検出し、室内送風ファン６の回転数が０ｒｐｍになると（ステップＳＴ３２）、１秒間待機し（ステップＳＴ３３）、しかる後に当該設定されている他の機能の動作処理を実行する一方（ステップＳＴ３４）、クリーン運転を終了する（ステップＳＴ２９）。
【００５６】
なお、クリーン運転がその途中でリモコン１１からの他の機能設定などにより強制的に終了しない限り、クリーン運転終了時には自動的にクリーン運転直前の運転モードに戻す。これにより、再度リモコン１１による設定操作の手間が省け、クリーン運転直前の運転モードの設定状態を覚えていなくともよい。
【００５７】
【発明の効果】
以上説明したように、本発明によれば、電気集塵部およびマイナスイオン発生部からオゾンを発生させて室内機内部の殺菌、脱臭を行うクリーン運転を行う場合、室温および室内湿度を検出して、その検出室温あるいは湿度に応じて電気集塵部の通電電圧を可変し、特にオゾンが分解し易い高室温または高湿度の条件下では発生オゾン量を多くするようにしたことにより、室内が高温・高湿環境である場合においても、オゾンによる殺菌，脱臭効果を高めて、クリーン運転時間を短縮することができる。
【００５８】
また、クリーン運転に先だって、所定時間暖房運転を行うことにより、例えば室内機のドレンパンに溜っている凝縮水が蒸発されるため、室内機内部の殺菌、脱臭がさらに効果の向上が図れられる。
【図面の簡単な説明】
【図１】本発明の空気調和機の制御方法が適用される室内機の構成を説明するための模式的な断面図。
【図２】上記空気調和機の制御系を示す概略的ブロック図。
【図３】本発明の動作説明用フローチャート図。
【図４】本発明の動作説明用フローチャート図。
【符号の説明】
１　室内機側制御回路
１ａ　判定部
１ｂ　タイマ
１ｃ　状態判定部
１ｄ　記憶部
１ｅ　カウンタ部
１ｆ　回転数検出部
１ｇ　空清通電可変部
２　室外機側制御回路
２ａ　運転モード判定部
２ｂ　圧縮機制御部
３ａ　開閉パネル
３ｂ　マルチパネル（補助開閉パネル）
３ｃ，３ｄ　常開型空気吸入口
４　上下風向板
５ａ，５ｂ，５ｃ　室内熱交換器
６　室内送風ファン
７　電気集塵部
８　マイナスイオン発生部
９　室温センサ
１０　湿度センサ
１１　リモコン
１２　本体表示部
１３　ドレンパン
１４　四方弁
１５　圧縮機
１６　室外ファン
【図１】
2004020117.tif 000003
【図２】
2004020117.tif 000004
【図３】
2004020117.tif 000005
【図４】
2004020117.tif 000006